(57)【特許請求の範囲】
【請求項１】
センター網制御装置に電話網を介して接続された端末網制御装置と、
前記端末網制御装置に有線接続された無線親機としての親機であり、記億部を有する制御手段と該親機の動作エラーをエラー表示する表示手段とを有する前記親機と、
前記無線親機の配下の無線子機であり、記憶部を有する制御手段と該子機の動作エラーをエラー表示する表示手段とを有する前記子機と、
前記子機に有線接続されたメータと、によって構成されており、
特定小電力無線方式の無線通信により前記親機と前記子機の通信を行う無線テレメータシステムであって、
時間や周期を定めて定期的に前記メータの検針を行い、
前記親機及び前記子機はメモリー装着部を有し、脱着可能な不揮発性記憶手段である補助メモリー部を該メモリー装着部に装着し、
前記無線通信で交信相手の認識に使用する固有情報である縁組情報を交換する作業である縁組作業の際に、
前記縁組情報は、前記親機の前記記憶部及び前記子機の前記記憶部の少なくとも一方に記憶されると共に、前記親機の前記メモリー装着部に装着された前記補助メモリー部及び前記子機の前記メモリー装着部に装着された前記補助メモリー部の少なくとも一方に記憶され、
前記メータを定期的に検針する時間や周期などの運用条件を表す情報である設定情報は、前記親機の前記記憶部及び前記子機の前記記憶部の少なくとも一方に記憶されると共に、前記親機の前記メモリー装着部に装着された前記補助メモリー部及び前記子機の前記メモリー装着部に装着された前記補助メモリー部の少なくとも一方に記憶される
ことを特徴とする無線テレメータシステム。
【請求項２】
前記親機あるいは前記子機は、前記制御手段により前記補助メモリー部の在席を確認する在席確認手段を有し、前記補助メモリー部を前記メモリー装着部から取外した状態で動作させた場合には、前記在席確認手段が前記補助メモリー部の不在を検知し、前記表示手段にエラー表示を行い、かつ前記無線通信を行わないよう制御することを特徴とする請求項１に記載の無線テレメータシステム。
【請求項３】
前記親機及び前記子機は、定期的に前記補助メモリー部から前記縁組情報及び前記設定情報を読み取り、前記縁組情報又は前記設定情報が変動した場合には、前記親機の前記記憶部又は前記子機の前記記憶部に記憶された前記縁組情報又は前記設定情報に優先して、前記変動した前記縁組情報又は前記変動した前記設定情報を使用して動作することを特徴とする請求項１又は２に記載の無線テレメータシステム。
【請求項４】
前記補助メモリー部が、機器の識別符号を設定するための設定手段を有することを特徴とする請求項３に記載の無線テレメータシステム。
【請求項５】
前記親機は、前記子機の前記補助メモリー部とインターフェースを介して接続する機能を有し、前記子機の前記補助メモリー部が前記親機の前記メモリー装着部に接続されたとき、互いの前記縁組情報を交換し、かつ互いの前記補助メモリー部に互いの前記縁組情報を書き込むことを特徴とする請求項４に記載の無線テレメータシステム。
【請求項６】
前記親機は前記子機の前記設定情報のすべて又は一部を、脱着不可能な前記不揮発性メモリー部又は前記補助メモリー部に記憶し、前記子機の前記補助メモリー部が前記親機の前記メモリー装着部に接続されたときに、前記設定情報を前記補助メモリー部に書き込むことを特徴とする請求項５に記載の無線テレメータシステム。
【発明の詳細な説明】
【技術分野】
【０００１】
本発明は、無線テレメータシステムに関し、特に特定小電力無線のテレメータシステムに関する。
【背景技術】
【０００２】
一般に、無線テレメータシステムにおいては、無線親機（以下、親機という）と各無線子機（以下、子機という）は、交信相手の認識に使用される識別符号等の互いの固有情報を交換する縁組作業を行うことで、互いに目的局との無線通信が行える状態となる（例えば、特許文献１参照）。従来、縁組作業で設定された縁組情報や各種の設定情報等の必要情報は、すべて親機又は子機の回路基板上に固定されたメモリー部に記憶されていた。
【特許文献１】特開２００５−３４８０８３号公報
【０００３】
しかし、従来の技術では、無線テレメータシステムの親機又は子機に対して落雷等のトラブルが発生して、親機の回路基板等の故障又は子機の回路基板等の故障が発生することで回路基板等の部品交換が必要となった場合がある。このような場合には、無線テレメータシステムの復旧のために、故障した親機又は子機から必要情報を読み出そうとしても、回路基板が動作しないため読み出せないことが多い。
【０００４】
このように必要情報が親機又は子機から読み出せない場合には、まず、回路基板を部品交換してハードウェアの復旧を行う必要がある。その後、システム復旧するために改めて親機と子機の縁組作業や親機と子機に対して各種の設定情報の設定作業を行う必要があり、多大な時間と労力を費やすことになる。
【０００５】
無線テレメータシステムの復旧を効率的に行うことを目的として、バックアップシステムを構築する対策がある。バックアップシステムは、親機や子機の必要情報を外部機器に対して一旦バックアップして保管する。そして、システム復旧の際には、バックアップしていた必要情報は、バックアップシステムから親機や子機のメモリー部に復元して親機と子機の再縁組をする。このようなバックアップシステムとしては、センター網制御装置で管理する端末網制御装置の全てのバックアップ情報を、電話網を介して収拾するために、センター網制御装置と同じ規模に近い大規模な通信装置が必要となる。このため、従来のバックアップシステムを必要とする無線テレメータシステムは、設備投資の面及びバックアップシステム運用の煩雑さから、広く採用されるに至っていない。
【発明の開示】
【発明が解決しようとする課題】
【０００６】
本発明の目的は、バックアップシステムを必要とせず、システム復旧作業の効率向上とともにシステムの保守管理機能の向上を図ることができる無線テレメータシステムを提供することである。
【課題を解決するための手段】
【０００７】
上記目的を達成するために、本発明の無線テレメータシステムは、センター網制御装置に電話網を介して接続された端末網制御装置と、前記端末網制御装置に有線接続された無線親機としての親機であり、記憶部を有する制御手段とエラー表示する表示手段とを有する前記親機と、無線子機としての親機であり、記憶部を有する制御手段とエラー表示する表示手段とを有する前記子機と、前記子機に有線接続されたメータと、によって構成されて、特定小電力無線方式の無線通信により前記親機と前記子機の通信を行う無線テレメータシステムであって、脱着可能な不揮発性記憶手段である補助メモリー部を有し、前記親機及び前記子機は前記補助メモリー部を装着可能なメモリー装着部をそれぞれ有することを特徴とする。
【０００８】
本発明の無線テレメータシステムにおいては、前記無線通信で交信相手の認識に使用する固有情報である縁組情報を交換する作業である縁組作業の際に、前記縁組情報を、前記親機の前記記憶部及び前記子機の前記記憶部の少なくとも一方に記憶すると共に、前記親機の前記メモリー装着部に装着された前記補助メモリー部及び前記子機の前記メモリー装着部に装着された前記補助メモリー部の少なくとも一方に記憶している。
【０００９】
本発明の無線テレメータシステムにおいては、前記メータを定期的に遠隔監視する運用条件を表す情報である設定情報を、前記親機の前記記憶部及び前記子機の前記記憶部の少なくとも一方に記憶すると共に、前記親機の前記メモリー装着部に装着された前記補助メモリー部及び前記子機の前記メモリー装着部に装着された前記補助メモリー部の少なくとも一方に記憶している。
【００１０】
本発明の無線テレメータシステムの好ましい実施形態では、前記親機あるいは前記子機は、前記制御手段により前記補助メモリー部の在席を確認する在席確認手段を有し、前記補助メモリー部を前記メモリー装着部から取外した状態で動作させた場合には、前記在席確認手段が前記補助メモリー部の不在を検知し、前記表示手段にエラー表示を行い、かつ前記無線通信を行わないよう制御することができる。
【００１１】
本発明の無線テレメータシステムの好ましい実施形態では、前記親機及び前記子機は、定期的に前記補助メモリー部から前記縁組情報及び前記設定情報を読み取り、前記縁組情報または前記設定情報が変動した場合には、前記親機の前記記憶部又は前記子機の前記記憶部に記憶された前記縁組情報又は前記設定情報に優先して、前記変動した前記縁組情報又は前記変動した前記設定情報を使用して動作することができる。
【００１２】
本発明の無線テレメータシステムの好ましい実施形態では、前記補助メモリー部が、機器の識別符号を設定するための設定手段を有することができる。本発明の無線テレメータシステムの好ましい実施形態では、前記親機は、前記子機の前記補助メモリー部とインターフェースを介して接続する機能を有し、前記子機の前記補助メモリー部が前記親機の前記メモリー装着部に接続されたとき、互いの前記縁組情報を交換し、かつ互いの前記補助メモリー部に互いの前記縁組情報を書き込むことができる。
【００１３】
本発明の無線テレメータシステムの好ましい実施形態では、前記親機は前記子機の前記設定情報のすべて又は一部を、脱着不可能な前記不揮発性メモリー部又は前記補助メモリー部に記憶し、前記子機の前記補助メモリー部が前記親機の前記メモリー装着部に接続されたときに、前記設定情報を前記補助メモリー部に書き込むことができる。
【発明の効果】
【００１４】
本発明の無線テレメータシステムは、バックアップシステムを必要とせず、システム復旧作業の効率向上とともにシステムの保守管理機能の向上を図ることができる。即ち、補助メモリーに縁組情報と設定情報を記憶することにより、親機及び子機の不揮発メモリーに記憶された縁組情報と設定情報が読取り不能となって新たな親機又は子機と交換することが必要となった際にも、当初の親機又は子機から取り出した補助メモリー部を新たな親機又は子機に装着することにより、記憶された縁組情報と設定情報を利用して、新たな親機又は子機は縁組作業なしに縁組が復元可能であり、また、設定情報の再度の設定なしに運用条件を復元することができる。
【発明を実施するための最良の形態】
【００１５】
以下、本発明の実施形態を、図面を用いて詳細に説明する。図１は、本発明の無線テレメータシステムの一例を示す概略図である。図１に示すように、無線テレメータシステムは、ホストコンピュータ１（以下、ホストと略す）に接続されたセンター網制御装置２と、端末網制御装置４と、無線親機（以下、親機といい、図面ではメインと表記している）５と、複数の無線子機（以下、子機といい、図面ではサブと表記している）６、及び複数のメータ７を備える。
【００１６】
センター網制御装置２は、電話網の電話回線３を介して端末網制御装置４に接続されており、端末網制御装置４は親機５に対して有線回線により接続されている。親機５は、複数の子機６との間で、無線によりデータ通信を行う。各メータ７は、それぞれ子機６に接続されており、これらのメータ７は例えば電気、ガス、水道用のマイクロコンピュータを搭載したメータである。メータ７と子機６の組の数は２つ以上であるが、特に限定されない。
【００１７】
図２（Ａ）は、親機５の構成を示すブロック図であり、図２（Ｂ）は、子機６の構成を示すブロック図である。図２（Ａ）に示すように、親機５は、アンテナ１０、無線通信ユニット１１、ＣＰＵ（制御手段）１２、端末網制御装置（Ｔ−ＮＣＵ）Ｉ／Ｆ（インターフェース）１３、ＲＯＭ（リードオンリーメモリ）１４、ＲＡＭ（ランダムアクセスメモリ）１５、縁組スイッチ１６、電池１７、不揮発性メモリー（１）１８、不揮発性メモリー（２）１９、そしてエラー表示するための表示手段１２Ｂを有している。
【００１８】
図２（Ｂ）に示すように、子機６は、アンテナ２０、無線通信ユニット２１、ＣＰＵ（制御手段）２２、メータセンサＩ／Ｆ（インターフェース）２３、ＲＯＭ（リードオンリーメモリ）２４、ＲＡＭ（ランダムアクセスメモリ）２５、縁組スイッチ２６、電池２７、不揮発性メモリー（１）２８、不揮発性メモリー（２）２９、そしてエラー表示するための表示手段２２Ｂを有している。メータセンサＩ／Ｆ２３は、図１に示すメータに接続されている。
【００１９】
図２（Ａ）に示す親機５の不揮発性メモリー（１）１８は、親機５から脱着不可能な記憶部である。同様に、図２（Ｂ）に示す子機６の不揮発性メモリー（１）２８は、子機６から脱着不可能な記憶部である。図２（Ａ）に示す親機５の不揮発性メモリー（２）１９と図２（Ｂ）に示す子機６の不揮発性メモリー（２）２９は、ともに不揮発性メモリーで構成される補助メモリー部である。親機５の不揮発性メモリー（２）１９は、親機５のメモリー脱着部１２Ｃに対して脱着可能な不揮発性記憶手段である。同様に、子機６の不揮発性メモリー（２）２９は、子機６のメモリー装着部２２Ｃに対して脱着可能な不揮発性記憶手段である。ＣＰＵ１２とＣＰＵ２２は、時計やタイマー機能を有している。
【００２０】
図２（Ａ）に示す親機５の制御手段であるＣＰＵ１２は、メモリー装着部１２Ｃにおいて不揮発性メモリー（２）１９が在席しているかどうかを確認する在席確認手段１２Ｄを有している。メモリー装着部１２Ｃから不揮発性メモリー（２）１９を取り外した状態で親機５を動作させた場合には、在席確認手段１２Ｄは不揮発性メモリー（２）１９の不在を検知して、ＣＰＵ１２は表示手段１２Ｂに親機５の動作エラーの表示を行い、しかも親機５と子機６の間で無線通信を行わないように制御するようになっている。同様に、図２（Ｂ）に示す子機６の制御手段であるＣＰＵ２２は、メモリー装着部２２Ｃにおいて不揮発性メモリー（２）２９が在席しているかどうかを確認する在席確認手段２２Ｄを有している。メモリー装着部２２Ｃから不揮発性メモリー（２）２９を取り外した状態で子機６を動作させた場合には、在席確認手段２２Ｄは不揮発性メモリー（２）２９の不在を検知して、ＣＰＵ２２は表示手段２２Ｂに子機６の動作エラーの表示を行い、しかも親機５と子機６の間で無線通信を行わないように制御するようになっている。
【００２１】
親機５の補助メモリー部である不揮発性メモリー（２）１９は親機５の識別符号を設定するための設定手段を有しており、子機６の不揮発性メモリー（２）２９は子機６の識別符号を設定するための設定手段を有している。
【００２２】
図２（Ａ）に示す親機５のＣＰＵ１２は、図２（Ｂ）に示す子機６の不揮発性メモリー（２）２９とインターフェース８０を介して接続する機能を有し、子機６の不揮発性メモリー（２）２９が、インターフェース８０とＣＰＵ１２を通じて親機５のメモリー装着部１２Ｃに接続されたときには、親機５と子機６の間で互いの縁組情報を交換して、かつ互いの補助メモリー部である不揮発性メモリー（２）１９と不揮発性メモリー（２）２９に対して、互いの縁組情報を書き込むことができるようになっている。
【００２３】
図２（Ａ）に示す親機５は、子機６に関する設定情報のすべてまたは一部を、脱着不可能な不揮発性メモリー部である不揮発性メモリー（１）１８又は補助メモリー部である不揮発性メモリー（２）１９に記憶する。子機６の不揮発性メモリー（２）２９がインターフェース８０を介して親機５のメモリー装着部１２Ｃに接続されたときには、親機５の設定情報を子機６の不揮発性メモリー（２）２９に書き込むことができる。
【００２４】
ここで、縁組情報とは、無線通信で交信相手の認識に使用する識別符号などの固有情報である。また、設定情報とは、メータ７を定期的に遠隔監視する時間や周期などの運用条件を表す情報である。無線通信で交信相手の認識に使用する固有情報である縁組情報を交換する作業である縁組作業の際には、縁組情報は、親機５の記憶部である不揮発性メモリー（１）１８及び子機６の記憶部である不揮発性メモリー（１）２８の少なくとも一方に記憶されると共に、親機５のメモリー装着部１２Ｃに装着された不揮発性メモリー（２）１９及び子機６のメモリー装着部２２Ｃに装着された不揮発性メモリー（２）２９の少なくとも一方に記憶されるようになっている。
【００２５】
図１のメータ７を定期的に遠隔監視する運用条件を表す情報である設定情報は、親機５の不揮発性メモリー（１）１８及び子機６の不揮発性メモリー（１）２８の少なくとも一方に記憶されると共に、親機５のメモリー装着部１２Ｃに装着された不揮発性メモリー（２）１９及び子機６のメモリー装着部２２Ｃに装着された不揮発性メモリー（２）２９の少なくとも一方に記憶される。親機５及び子機６は、定期的に不揮発性メモリー（２）１９と不揮発性メモリー（２）２９から縁組情報及び設定情報を読み取り、縁組情報又は設定情報が変動した場合には、親機５の不揮発性メモリー（１）１８又は子機６の不揮発性メモリー（１）２８に記憶された古い縁組情報又は古い設定情報に優先して、新たな変動した縁組情報又は新たな変動した設定情報を使用して動作する。
【００２６】
ここで、本発明の好ましい実施形態における縁組による情報管理方法を説明する前提として、親機５と子機６との間における縁組による情報管理方式を、図４の縁組シーケンス図に従って説明をする。図４は、親機５と子機６との縁組作業のための縁組シーケンスを示しており、図２（Ａ）の親機５の縁組スイッチ１６と図２（Ｂ）子機６の縁組スイッチ２６が押されると、親機５は縁組受信モードとなる。子機６は、図５に示す自局（サブ：子機６）の識別符号を含む縁組情報を親機５に送信して、一定時間の応答待ちとなる。一方、親機５は、子機６の識別符号を含む縁組情報を受信すると、親機５は図６の自局（メイン：親機５）の識別符号を含む縁組情報を子機６に返信した後に、受信した子機６の縁組情報を記憶部である不揮発性メモリー（１）１８にサブ情報（子機情報）として登録する。子機６は、親機５からの応答を受信すると、親機５の識別符号を含む縁組情報を不揮発性メモリー（１）２８にメイン情報（親機情報）として登録することで、親機５と子機６の上述した一連の縁組作業が終了する。上述した親機５と子機６の縁組作業を行うことにより、電文とともに送信される送信側識別符号と、登録している縁組情報とが一致するかを随時判定して、目的局以外との混信を防ぐことが可能となり、親機５と子機６との間における安定した無線通信を実現している。
【００２７】
図５の無線ヘッダーと図６の無線ヘッダーとは、ビット同期やフレーム同期などの信号を示している。図５に示す縁組情報は、無線ヘッダーと、自局（サブ）の識別符号と、縁組要求を有する。図６に示す縁組情報は、無線ヘッダーと、自局（メイン）の識別符号と、縁組応答と、データを有する。
【００２８】
ここで、無線テレメータシステムの実際の運用現場を見てみると、親機５や子機６に関しては、落雷等により発生する故障によって親機や子機の交換を必要する場合に少なからず遭遇する。その際、通常の方式では親機や子機から縁組情報を読み出そうとしても、ほとんど読み出せないことが多く、交換作業後に再び親機と子機の縁組作業を行う必要が生じる。特に、親機５の故障による交換の場合には、この親機５と縁組していた数百台の子機６とを一台ずつ再縁組作業する場合があり、多大なる時間と労力を必要とされることになる。このため、一部のシステム運営者においては、このような再縁組作業を回避するため、不揮発性メモリー（１）（記憶部）１８や不揮発性メモリー（１）（記憶部）２８に記憶された縁組情報は、無線テレメータシステム経由で外部機器にバックアップする専用バックアップシステムの導入が行われることがある。しかし、このようなバックアップシステムは、大規模な通信装置となるため、設備投資の面及び運用の煩雑さから、広く採用することは難しい。
【００２９】
そこで、本発明の好ましい実施形態では、親機５と子機６の縁組情報を、親機５の不揮発性メモリー（２）（補助メモリー部）１９又は子機６の不揮発性メモリー（２）（補助メモリー部）２９に登録をしている。親機や子機の交換が必要な時に縁組情報が本体からは読み出せない状況になったとしても、この登録により、図２（Ａ）のメモリー装着部１２Ｃから不揮発性メモリー（２）（補助メモリー部）１９を取り外すか、又は図２（Ｂ）のメモリー装着部２２Ｃから不揮発性メモリー（２）（補助メモリー部）２９を取り外して、不揮発性メモリー（２）（補助メモリー部）１９内の記憶情報（縁組情報及び設定情報）あるいは不揮発性メモリー（２）（補助メモリー部）２９内の記憶情報縁（縁組情報及び設定情報）を専用の読み取り機などを用いて読み取る。これにより、必要な情報を容易に読み出せるようにしている。
【００３０】
ここでの読み取り機とは、端末網制御装置（Ｔ−ＮＣＵ）の設置、保守を行う設備技術者の常用する可搬型のＰＣ（パーソナルコンピュータ）などにアダプターを経由して不揮発性メモリー（２）（補助メモリー部）１９又は不揮発性メモリー（２）（補助メモリー部）２９を装着し、記憶されている縁組情報及び設定情報を読み出す機械である。本発明の実施形態におけるこの専用の読み取り機は、専用バックアップシステムと異なり、設備導入を必要としないこと、及び設備技術者が特に訓練を要さず実施できる手順であることから、導入が極めて容易であるという特徴がある。
【００３１】
無線テレメータシステムでは、図１に示すメータ７を定期的に検針する時間や周期などの運用条件を示す設定情報が、個別の子機６の設定情報として登録される。しかしながら、運用条件を示す設定情報は、通常、親機５から取り外すことができない脱着不可能な不揮発メモリー（１）（記憶部）１８、又は子機６から取り外すことができない脱着不可能な不揮発メモリー（記憶部）２８に対して登録されている。そのため、子機６の交換に際しては、設定情報を逐一設定し直す必要が生じて、迅速な作業が困難である。
【００３２】
このような不都合を解消するために、本発明の無線テレメータシステムの実施形態では、縁組情報と設定情報を合わせた各種設定情報が、親機５から脱着可能な不揮発性メモリー（２）（補助メモリー部）１９、又は子機６から脱着可能な不揮発性メモリー（２）（補助メモリー部）２９に登録している。このため、これらの不揮発性メモリー（２）（補助メモリー部）１９又は不揮発性メモリー（２）（補助メモリー部）２９は、必要なときには取り外して、その内容情報は上述した専用の読み取り機で読み取りできるというメリットがある。
【００３３】
次に、不揮発性メモリー（２）（補助メモリー部）１９が親機５から取り外されているか、又は不揮発性メモリー（２）（補助メモリー部）２９が子機６から取り外されている場合の動作の一例を、図３のフロー図により説明する。ここで、不揮発性メモリー（２）（補助メモリー部）１９又は不揮発性メモリー（２）（補助メモリー部）２９には、予め定めた番地に予め定めた判定用データを記憶するものとする。例えば、“ＩＮ”といったキャラクタデータが記憶されているとする。そこで不揮発性メモリー（２）（補助メモリー部）１９がメモリー装着部１２Ｃ、又は不揮発性メモリー（２）（補助メモリー部）２９がメモリー装着部２２Ｃに装着されているかの有無の判定では、図３に示すように予め定めた固定番地からデータを読み出し（ステップ６００）、データの読出し値が“ＩＮ”であるかどうかを確認する（ステップ６０１）。
【００３４】
図３に示すように読み取ったデータが“ＩＮ“であった場合には、不揮発性メモリー（２）（補助メモリー部）１９がメモリー装着部１２Ｃに装着されているか、又は不揮発性メモリー（２）（補助メモリー部）２９がメモリー装着部２２Ｃに装着されているとして、在席処理（ステップ６０２）を行う。これに対して、図３に示すように読み取ったデータが“ＩＮ”以外の場合には、不在処理としてエラーを示す表示を表示手段１２Ｂ又は表示手段２２Ｂにより行うと共に、親機５と子機６の間では無線送信をしないことで誤動作を防ぐ処理を行うので、通信上の信頼性の向上を図ることができる。なお、不揮発性メモリー（２）（補助メモリー部）１９又は不揮発性メモリー（２）（補助メモリー部）２９の在席確認を行う方法は、上述した例に限定されるものではない。
【００３５】
制御手段であるＣＰＵ１２又はＣＰＵ２２が、定期的に不揮発性メモリー（２）（補助メモリー部）１９又は不揮発性メモリー（２）（補助メモリー部）２９に登録された縁組情報や設定情報を確認して、必要に応じて情報内容の更新する動作を行うよう制御すれば、他の端末網制御装置において縁組情報や設定情報が登録された不揮発性メモリー（２）（補助メモリー部）１９又は不揮発性メモリー（２）（補助メモリー部）２９を装着したときに、不揮発性メモリー（２）（記憶部）１８又は不揮発性メモリー（２）（記憶部）２８に記憶された古い情報に優先して、不揮発性メモリー（２）（補助メモリー部）１９又は不揮発性メモリー（２）（補助メモリー部）２９に登録された新たな縁組情報や新たな設定情報を使用して動作することが可能となる。
【００３６】
従って、落雷等のトラブルにより親機５あるいは子機６の取替えが生じた場合は、それまで使用していた不揮発性メモリー（補助メモリー部）１９又は不揮発性メモリー（補助メモリー部）２９を、取り替え後の親機５又は子機６に装着することにより、特に再設定作業を行うことなく、無線テレメータシステムの復元が容易にできる。
【００３７】
センター網制御装置２から各端末網制御装置４を指定するため、識別符号などとは関係してない機器ＩＤ（識別符号）である運用ＩＤ（識別符号）が、個々の子機６に設けられる。
【００３８】
通常の運用ＩＤは、親機５や子機６に設けられたＤＩＰＳＷ（ディップスイッチ）によって定められていることから、本発明の実施形態では、不揮発性メモリー（２）（補助メモリー部）１９又は不揮発性メモリー（２）（補助メモリー部）２９に対して、運用ＩＤ（識別符号）の設定用ＤＩＰＳＷを設ける構造を採用することができる。これにより、運用ＩＤと縁組情報と設定情報が一体で交換が可能となる。つまり、落雷などにより機器交換などの状況が生じたとしても、交換前の親機５又は子機６から不揮発性メモリー（２）（補助メモリー部）１９又は不揮発性メモリー（２）（補助メモリー部）２９を移設して装着することで、新たな機器設定変更や再縁組作業を必要とせずに、また運用ＩＤ情報であっても、不揮発性メモリー（２）（補助メモリー部）１９又は不揮発性メモリー（２）（補助メモリー部）２９の設定用ＤＩＰＳＷの設定により、縁組情報と設定情報とともに同時に移設できるため、無線テレメータシステムの復元が一段と容易となる。
【００３９】
さらに、本発明の無線テレメータシステムの好ましい実施形態では、図２に示すように、親機５の不揮発性メモリー（２）（補助メモリー部）１９と子機６の不揮発性メモリー（２）（補助メモリー部）２９とを接続するインターフェースにより親機５の不揮発性メモリー（２）（補助メモリー部）１９と子機６の不揮発性メモリー（補助メモリー部）２９を接続して、これらの間で情報交換することにより、親機５と子機６が最新の縁組情報を使用するように動作させれば、無線通信による縁組作業より迅速に縁組情報の更新を行うことが可能となる。
【００４０】
更にこのとき、子機６に対して設定情報を書き込めば、子機６への設定情報の設定も同様に迅速に行うことができ、効率的な無線テレメータシステムの運用方法を提供できる。      
【００４１】
本発明の無線テレメータシステムの好ましい実施形態では、親機５あるいは子機６に対して脱着可能な補助メモリー部である不揮発メモリー（２）１９又は不揮発メモリー（２）２９に縁組情報や設定情報の登録がされるため、必要な情報の保守管理が容易に行える。つまり、親機５あるいは子機６に対して脱着可能な不揮発メモリー（２）１９又は不揮発メモリー（２）２９をメモリー装着部１２Ｃ、２２Ｃを用いてそれぞれ設定することで、機器本体の状態にかかわらず必要な情報の読み取りが可能となる。
【００４２】
また、親機５又は子機６は、不揮発性メモリー（２）１９又は不揮発メモリー（２）２９がメモリー装着部１２Ｃ、２２Ｃに装着されているかどうかを知る在席確認手段１２Ｄ、２２Ｄを備え、不揮発性メモリーがメモリー装着部に着されていないと判断すると、表示手段１２Ｂ、２２Ｂは装着されていないことを示すエラーを表示する。これにより、補助メモリー部である不揮発メモリー（２）１９又は不揮発メモリー（２）２９が脱着可能なことによる誤動作の発生が抑制できる。
【００４３】
親機５及び子機６は、定期的に不揮発性メモリーから縁組情報及び設定情報を読み取り、縁組情報又は設定情報が変動した場合には、親機の記憶部又は子機の記憶部に記憶された縁組情報又は設定情報に優先して、変動した新たな縁組情報又は変動した新たな設定情報を使用して動作することができる。
【００４４】
そして、脱着可能な補助メモリー部が、機器の識別符号を設定するためのＩＤ設定用のＤＩＰＳＷのような設定手段を有する。これにより、何らかの理由で各種情報を移行させたい場合においても、不揮発性メモリー（２）１９又は不揮発性メモリー（２）２９を新しい親機５と子機６に差し替えることで、縁組情報と設定情報及び運用ＩＤの移行ができるため、システム復旧が効率的に行える。
【００４５】
親機５は、子機６の不揮発性メモリー（２）２９対してインターフェース８０を介して接続する機能を有し、子機６の不揮発性メモリー（２）２９が親機５のメモリー装着部１２Ｃに接続されたときには、親機５と子機６との間で互いの縁組情報を交換し、かつ不揮発メモリー（２）１９又は不揮発性メモリー（２）２９に互いの縁組情報を書き込むことができる。
【００４６】
親機５は、子機６の設定情報のすべて又は一部を、親機５の脱着不可能な記憶部である不揮発性メモリー（１）１８又は脱着可能な不揮発メモリー（２）１９に記憶して、子機６の不揮発性メモリー（２）２９が親機５のメモリー装着部１２Ｃに接続されたときに、設定情報を不揮発性メモリー（２）２９に書き込むことができる。このため、不揮発性メモリー（２）１９や不揮発性メモリー（２）２９に対して、縁組情報と運用設定情報が容易に書き込み可能となるため、無線テレメータシステムの管理が容易となる。
【００４７】
なお、本発明は、上記実施形態に限定されるものではなく、本発明の範囲内で上記実施形態に多くの修正及び変更を加え得ることは勿論である。
【図面の簡単な説明】
【００４８】
【図１】本発明の実施形態にかかる無線テレメータシステムのシステム図である。
【図２】本発明の実施形態にかかる親機と子機のブロック図である。
【図３】本発明の実施形態にかかるフロー図である。
【図４】前提となる無線テレメータシステムにおける親機と子機の縁組作業の縁組シーケンス図である。
【図５】図４における縁組要求電文のフォーマットを示す図である。
【図６】図４における縁組応答電文のフォーマットを示す図である。
【符号の説明】
【００４９】
１  ホスト                            ２  センター網制御装置
３  電話回線                          ４  端末網制御装置（Ｔ−ＮＣＵ）
５  親機                              ６  子機
７  メータ
１０  アンテナ                        １１  無線通信ユニット
１２  ＣＰＵ（中央処理装置）
１２Ｂ  表示手段                      １２Ｃ  メモリー装着部
１３  端末網制御装置と接続のためのＩ／Ｆ（インターフェース）
１４  ＲＯＭ（リードオンリーメモリ）
１５  ＲＡＭ（ランダムアクセスメモリ）
１６  縁組スイッチ                    １７  電池
１８  脱着不可能な不揮発性メモリー（１）（記憶部）
１９  脱着可能な不揮発性メモリー（２）（補助メモリー部）
２０  アンテナ                        ２１  無線通信ユニット
２２  ＣＰＵ（中央処理装置）
２２Ｂ  表示手段                      ２２Ｃ  メモリー装着部
２３  メ−タやセンサーと接続のためのＩ／Ｆ（インターフェース）
２４  ＲＯＭ（リードオンリーメモリ）
２５  ＲＡＭ（ランダムアクセスメモリ）
２６  縁組スイッチ                    ２７  電池
２８  脱着不可能な不揮発性メモリー（１）（記憶部）
２９  脱着可能な不揮発性メモリー（２）（補助メモリー部）
８０  インターフェース
【図１】
0004728130.tif 000002
【図２】
0004728130.tif 000003
【図３】
0004728130.tif 000004
【図４】
0004728130.tif 000005
【図５】
0004728130.tif 000006
【図６】
0004728130.tif 000007